(57)【要約】【課題】  手早く適正な位置に構えられるファインダ装置を提供する。【解決手段】  視野枠３１には、レンズ付きフイルムユニット１０を構えたときに理想的な状態でフレーミングを行える適正な構え位置が製造時に予め設定されている。ストラップ３３は、ストラップ３３がたるまないようにレンズ付きフイルムユニット１０を構えたとき、撮影者とレンズ付きフイルムユニット１０との距離が適正になるように、その長さが決定されている。スポーツファインダを用いて撮影を行う場合には、ストラップ３３を首から掛け、このストラップ３３がたるまないようにレンズ付きフイルムユニット１０を構える。これにより撮影者とレンズ付きフイルムユニット１０との距離が適正となるので、手早く構えることができる。【選択図】        図４
2005091926.tif 000002
【特許請求の範囲】
【請求項１】
カメラに取り付けられて使用されるファインダ装置において、
矩形の枠体であり、撮影者がカメラを構えたときに撮影者とカメラとの距離が予め設定された適正距離となる場合に、撮影者が枠体を通して観察可能な範囲とカメラの撮影範囲とがほぼ一致するように形成された視野枠と、
前記視野枠もしくはカメラ本体に取り付けられ、撮影の際に撮影者の首に掛けられて用いられる紐状のストラップとから構成するとともに、
前記ストラップは、ストラップがたるまないようにカメラを構えたときに、撮影者とカメラとの距離を、前記適正距離にする長さであることを特徴とするファインダ装置。
【請求項２】
前記視野枠の内側に、視野枠を通して観察可能な範囲を調節するためのレンズを配置したことを特徴とする請求項１記載のファインダ装置。
【請求項３】
前記レンズは、凹型フレネルレンズであることを特徴とする請求項２記載のファインダ装置。
【請求項４】
前記視野枠を、被写体側に配置される第１の枠体と、撮影者側に配置され、前記第１の枠体よりも小さい第２の枠体とから構成するとともに、
前記第１の枠体の撮影者側に、前記視野枠の枠面に垂直な方向と撮影者の目線の方向とがほぼ一致した場合には全体が観察可能であり、視野枠の枠面に垂直な方向と撮影者の目線の方向とが所定角度以上ずれている場合には一部が前記第２の枠体の影となり観察不能となるマークを設けたことを特徴とする請求項１〜３いずれか記載のファインダ装置。
【請求項５】
前記視野枠をカメラ本体から着脱自在に保持する、断面コ字形状の着脱部を設けたことを特徴とする請求項１〜４いずれか記載のファインダ装置。
【請求項６】
前記着脱部は、前記視野枠がカメラに取り付けられた際に、カメラに内蔵されたファインダ光学系のファインダ光軸を、対物側と接眼側とから挟み込んで遮蔽することを特徴とする請求項５記載のファインダ装置。
【請求項７】
前記着脱部のコ字形状の内側部分に、カメラ外殻に形成された突起もしくは窪みと係合する、窪みもしくは突起を設けたことを特徴とする請求項５又は６記載のファインダ装置。
【請求項８】
前記着脱部のコ字形状の内側部分に、カメラに内蔵されたファインダ光学系を形成する対物レンズ及び接眼レンズを露呈させる開口部分と係合する係合突起を設けたことを特徴とする請求項５〜７いずれか記載のファインダ装置。
【発明の詳細な説明】
【技術分野】
【０００１】
本発明は、カメラに取り付けられて使用されるファインダ装置に関するものである。
【背景技術】
【０００２】
カメラ上面に大型の視野枠を取り付けたスポーツファインダと呼ばれるファインダ装置がある。スポーツファインダは、目をカメラから離して使用するので、両目でフレーミングするといったことや、視野枠の外を観察するといったことができる。このため、被写体が動いていてもフレーミングしやすいといった利点がある。また、水中マスクなどを着用し、ファインダをのぞき込むことが困難な水中での撮影にも適している。
【０００３】
しかし、スポーツファインダは、撮影者がカメラを構えたときに、撮影者からの距離が適正でなかったり、被写体に対してまっすぐ構えていなかったりすると、視野枠を通して観察される範囲と、実際に撮影される範囲との間に差が生じてしまい問題であった。
【０００４】
このため、下記特許文献１には、視野枠にフレームパターンと、シリンドリカルレンズを設けて、カメラの撮影範囲と、フレームパターンによって囲まれた範囲とがほぼ一致したときのみ、撮影者からフレームパターンが観察できるようにしたファインダ装置が記載されている。これにより、撮影者は、フレームパターンを観察することによって適正な位置にカメラを構えられているか否かを知ることができる。
【０００５】
【特許文献１】実開昭６２−６５６３２号公報
【発明の開示】
【発明が解決しようとする課題】
【０００６】
しかしながら、上記特許文献１記載の装置では、フレームパターンのみをたよりに、撮影者から視野枠までの距離と、撮影者と視野枠との角度との両方が適正になるようにカメラを構えなければならない。このため、無数に存在する構え方の中から適正な位置を探し出すという作業が煩わしく、また、適正な位置にカメラを構えるまでに時間がかかってしまうといった問題がある。
【０００７】
本発明は、手早く適正な位置にカメラを構えることのできるファインダ装置を提供することを目的としている。
【課題を解決するための手段】
【０００８】
本発明のファインダ装置は、矩形の枠体であり、撮影者がカメラを構えたときに撮影者とカメラとの距離が予め設定された適正距離となる場合に、撮影者が枠体を通して観察可能な範囲とカメラの撮影範囲とがほぼ一致するように形成された視野枠と、前記視野枠もしくはカメラ本体に取り付けられ、撮影の際に撮影者の首に掛けられて用いられる紐状のストラップとから構成するとともに、前記ストラップは、ストラップがたるまないようにカメラを構えたときに、撮影者とカメラとの距離を、前記適正距離にする長さであることを特徴としている。前記視野枠の内側に、視野枠を通して観察可能な範囲を調節するためのレンズを配置してもよい。前記レンズは、凹型フレネルレンズでもよい。
【０００９】
前記視野枠を、被写体側に配置される第１の枠体と、撮影者側に配置され、前記第１の枠体よりも小さい第２の枠体とから構成するとともに、前記第１の枠体の撮影者側に、前記視野枠の枠面に垂直な方向と撮影者の目線の方向とがほぼ一致した場合には全体が観察可能であり、視野枠の枠面に垂直な方向と撮影者の目線の方向とが所定角度以上ずれている場合には一部が前記第２の枠体の影となり観察不能となるマークを設けてもよい。
【００１０】
前記視野枠をカメラ本体から着脱自在に保持する、断面コ字形状の着脱部を設けてもよい。また、前記着脱部は、前記視野枠がカメラに取り付けられた際に、カメラに内蔵されたファインダ光学系のファインダ光軸を、対物側と接眼側とから挟み込んで遮蔽するようにしてもよいし、前記着脱部のコ字形状の内側部分に、カメラ外殻に形成された突起もしくは窪みと係合する、窪みもしくは突起を設けてもよい。さらに、前記着脱部のコ字形状の内側部分に、カメラに内蔵されたファインダ光学系を形成する対物レンズ及び接眼レンズを露呈させる開口部分と係合する係合突起を設けてもよい。
【発明の効果】
【００１１】
本発明のファインダ装置は、ストラップがたるまないようにカメラを構えることによって、撮影者とカメラとの距離が適正になるようにしたので、手早く適正な位置にカメラを構えることが可能である。また、マークを観察することによって角度の調節を行えるようにしたので、撮影者とカメラとの角度が適正になるように構えることができる。また、ファインダ装置をカメラ本体から着脱自在に設けることで、使いやすさや汎用性を向上することができる。
【発明を実施するための最良の形態】
【００１２】
本発明を実施したスポーツファインダを取り付けたレンズ付きフイルムユニットの正面側の外観図を、図１に、背面側の外観図を図２にそれぞれ示す。周知のように、レンズ付きフイルムユニット１０は、簡単な露光機構を備えたユニット本体１１に、予め製造時に未露光の写真フイルムを装填した使い捨て型のカメラである。
【００１３】
ユニット本体１１は、フイルム収納室、露光機構、ストロボ装置などが取り付けられる本体基部と、この本体基部を前後から覆う前カバー及び後カバーとからなる。ユニット本体１１の前面には、主に動きの少ない被写体を撮影する際に用いられる通常ファインダの対物レンズ１３の他に、撮影レンズ１５、ストロボ発光部１７、ストロボ装置の発光の有無を選択する操作部材１９が露呈している。ユニット本体１１の背面には、通常ファインダの接眼レンズ１４や、フイルム巻上げノブ２１が露呈しており、ユニット本体１１の上面にはレリーズボタン２３が露呈している。
【００１４】
また、ユニット本体１１には、主に動きのある被写体を撮影する際に用いられるスポーツファインダが設けられている。スポーツファインダは、ユニット本体１１の上面に取り付けられた視野枠３１、ユニット本体１１の側面に取り付けられたストラップ３３とから構成される。
【００１５】
視野枠３１は、略角筒状の枠体３５と、枠体３５の内側を形成するレンズ３７とからなり、これらが、例えば、透明なプラスチックなどによって一体成形されたものである。レンズ３７としては、例えば、図３に示すような、薄型で略平板状に成形された凹型フレネルレンズが用いられ、レンズ３７を通すことにより、レンズ３７を設けず枠体３５を素通しにした場合と比較して、より広範囲を観察可能とする。
【００１６】
視野枠３１は、枠体３５の内側にて撮影範囲を示すものであり、撮影者が撮影範囲を確認するために使用される。枠体３５の内側から観察される範囲は、レンズ付きフイルムユニット１０の構え方（構え位置）によって変化するが、製造時に予め適正な構え位置を設定してあり、適正な構え位置にレンズ付きフイルムユニット１０を構えたとき、理想的な状態でフレーミングできるようになっている。
【００１７】
本実施形態では、撮影者とレンズ付きフイルムユニット１０との距離が３０ｃｍであり、かつ、視野枠３１の枠面と垂直な方向と撮影者の視線とが一致するようにレンズ付きフイルムユニット１０を構えたときに、適切な位置に構えられているものとした。またこのとき理想的な状態でフレーミングを行えるように、枠体３５の内側から観察される範囲が、実際に撮影される範囲の約８０％を占める（視野比率が約８０％となる）ように、レンズ３７の焦点距離や、枠体３５の大きさや取り付け角度などを調節した。
【００１８】
撮影者は、スポーツファインダを用いて撮影を行う場合に、レンズ付きフイルムユニット１０を適正な位置に構え、理想的な状態でフレーミングを行うために、撮影者とレンズ付きフイルムユニット１０との距離及び角度を調節する必要がある。このため、距離の調節をしやすくするために、ストラップ３３を設けている。また、角度の調節をしやすくするように、枠体３５を形成している。
【００１９】
ストラップ３３は、リング状に形成された紐であり、一端部が取り付け端３９となっている。ストラップ３３は、取り付け端３９がユニット本体１１の側面に設けられた係合部４１に結び付けられ、ユニット本体１１に取り付けられている。図４に示すように、ストラップ３３は、ストラップ３３がたるまないようにレンズ付きフイルムユニット１０を構えたとき、撮影者とレンズ付きフイルムユニット１０との距離が３０ｃｍとなり適正になるように、その長さが決定されている。
【００２０】
枠体３５は、２つの枠体３５ａ、３５ｂが撮影光軸と垂直な方向に重ね合わせられている。枠体３５ａ、３５ｂはともに撮影光軸方向に厚みをもつ角筒状に形成され、枠体３５ａは被写体側に配置され、枠体３５ｂは撮影者側に配置される。枠体３５ａは、枠体３５ｂよりも一回り大きく形成されている。また、枠体３５ａの撮影者側で枠体３５ｂよりも外側部分の４辺には、目立つ色で彩色されたマーク４３が設けられている。
【００２１】
図５（Ａ）に示すように、視野枠３１の枠面と垂直な方向と撮影者の視線とがほぼ一致している場合には、撮影者からマーク４３の４辺全てが観察できる。一方、同図（Ｂ）に示すように、視野枠３１の枠面と垂直な方向が撮影者の視線に対して下方に傾いていると、枠体３５ｂの厚みによってマーク４３の上辺が撮影者から観察不能になる。マーク４３は枠体３５ａの４辺に設けたので、撮影者の視線に対して視野枠３１が上下左右のいずれかに傾いている場合には、マーク４３の一部が枠体３５ｂの影に隠れて撮影者から観察不能となる。
【００２２】
以下、上記構成による本発明の作用について説明する。スポーツファインダを用いて撮影を行う場合には、ストラップ３３を首から掛け、このストラップ３３がたるまないようにレンズ付きフイルムユニット１０を構える。これにより撮影者とレンズ付きフイルムユニット１０との距離が適正となる。
【００２３】
次に、マーク４３の４辺全てが観察できるようにレンズ付きフイルムユニット１０の角度を調節する。これにより、視野枠３１の枠面と垂直な方向と撮影者の視線とがほぼ一致し、撮影者とレンズ付きフイルムユニット１０との角度が適正となる。撮影者とレンズ付きフイルムユニット１０との距離及び角度が適正となることでレンズ付きフイルムユニット１０が適正な位置に構えられたことになるので、撮影者は、所望の被写体を視野枠３１内にとらえ、レリーズボタン２３を押下することによって撮影を行うことができる。
【００２４】
このように、このストラップがたるまないようにカメラを構えることにより、撮影者とカメラとの距離が適正となるので、カメラ位置を前後させながら距離を調節する場合と比較して、距離の調節が簡単であり、手早くカメラを構えることができる。また、ストラップがたるまないようにしながらカメラ角度を調節することで、撮影者とカメラとの距離を固定した状態でカメラ角度の調節が行える。これにより、撮影者とカメラとの位置及び角度の両方を同時に調節する場合と比較すると、手早くカメラを構えることが可能である。
【００２５】
上記実施形態では、スポーツファインダをカメラと一体に設ける例で説明をしたが、カメラから着脱自在に設けるようにしてもよい。このようにしたスポーツファインダをレンズ付きフイルムユニットに取り付けた状態を図６に、また、取り外した状態を図７にそれぞれ示す。なお、図６、及び、図７においては、上述した実施形態と同一の部材に付いては同一の符号を付して説明を行う。
【００２６】
スポーツファインダ５０は、ストラップ５１の取り付けられた視野枠３１が、台座５３上に固定されている。ストラップ５１は紐状であり、長手方向両端部が視野枠３１の両側部に固定されている。ストラップ５１は、上述した実施形態と同様に、ストラップ５１がたるまないようにレンズ付きフイルムユニットを構えたとき、撮影者とレンズ付きフイルムユニットとの距離が３０ｃｍとなり適正になるように、その長さが決定されている。
【００２７】
台座５３は、下方に開口を向けた断面コ字形状をしており、内側には、係合爪５３ａ、５３ｂが形成されている。一方、ユニット本体１１の前面には係合爪５３ａと係合する係合溝１１ａが、背面には係合爪５３ｂと係合する係合溝１１ｂが形成されている。スポーツファインダ５０は、台座５３がユニット本体１１を前面側及び背面側から挟み込むようにして、レンズ付きフイルムユニットの上面に取り付けられる。また、台座５３とユニット本体１１との係合を解除することでユニット本体１１から取り外される。
【００２８】
また、スポーツファインダ５０がレンズ付きフイルムユニットに取り付けられた際に、台座５３は、通常のファインダの対物レンズ１３、及び、接眼レンズ１４を覆い隠すようにその大きさが調節されている。このようにすることによってスポーツファインダ５０を取り付けて撮影を行うとき、撮影者が通常のファインダとスポーツファインダ５０とのうちいずれを用いるか戸惑わないようにしている。
【００２９】
以上のように、スポーツファインダをカメラから着脱自在に設けることで、スポーツファインダを使用しない場合には、カメラから取り外取り外せるので、かさばってしまうといったことがない。また、レンズ付きフイルムユニットは、現像時にユニット本体ごと現像所に持ち込むこととなるが、現像時にはスポーツファインダをユニット本体から取り外して手元に保管しておくことができるので、１つのスポーツファインダを長く使用することができる。
【００３０】
なお、スポーツファインダ５０は、係合溝１１ａ、１１ｂが設けられた特殊なカメラに取り付ける例で説明をしたが、本発明のスポーツファインダは、係合溝が設けられていない通常のカメラに取り付けることも可能である。例えば、カメラには対物レンズ、接眼レンズからなる通常のファインダ装置が内蔵されたものがあるが、これらのレンズは通常ユニット本体に設けられたレンズ開口の奥に配置されている。このようなカメラにスポーツファインダを取り付ける場合には、スポーツファインダ側に前記レンズ開口と係合する係合突起を設ければよい。このように、カメラ側に予め形成されている溝や突起などを利用するようにすれば、カメラ側に係合溝などを設けずにスポーツファインダを着脱自在にすることが可能となる。
【００３１】
また、上記実施形態では、カメラを適正な位置に構えたときに、撮影者とカメラとの適正な距離が３０ｃｍとなる例で説明をしたが、本発明はこれに限定されるものではない。撮影者とカメラとの適正な距離は、製造時点で任意の値に設定することができる。ただし、カメラを構えたときに、撮影者に近すぎると窮屈で使いづらくなってしまう。また、遠すぎると腕が伸びきってしまい、ブレやすいなどの問題が発生してしまうので、扱いやすさを考慮して、撮影者とカメラの適正な距離を設定するとよい。
【図面の簡単な説明】
【００３２】
【図１】レンズ付きフイルムユニットの前面側の外観図である。
【図２】レンズ付きフイルムユニットの背面側の外観図である。
【図３】レンズの断面図である。
【図４】ストラップがたるまないように構えた様子を表す説明図である。
【図５】視野枠の傾きによるマークの見え方の違いを表す説明図である。
【図６】カメラにスポーツファインダを取り付けた様子を表す斜視図である。
【図７】カメラからスポーツファインダを取り外した様子を表す斜視図である。
【符号の説明】
【００３３】
１０    レンズ付きフイルムユニット
１１    ユニット本体
３１    視野枠
３３、５１    ストラップ
３５    枠体
３７    レンズ
４３    マーク
５０    スポーツファインダ
５３    台座
【図１】
2005091926.tif 000003
【図２】
2005091926.tif 000004
【図３】
2005091926.tif 000005
【図４】
2005091926.tif 000006
【図５】
2005091926.tif 000007
【図６】
2005091926.tif 000008
【図７】
2005091926.tif 000009